(57)【要約】【課題】ブランク取出用のシュートを水平作業台として兼用できるようにして、安全な足場を確保すると共に、誤動作によるラムの前進を防止すること。【解決手段】ラム４とダイブロック３との間で圧造部の下方位置に、機械稼働中、切断ブランクや中間成形ブランクが自然落下にて機外に排出される角度を有したシュート９を備えてなる横型多段式圧造成形機において、シュート９をその上部を支点として揺動可能に支持すると共に、シュート９を機械停止後揺動させて水平位置に持ち上げ、シュート９を作業台として兼用させる揺動シリンダ１２機構を設けた。。【選択図】　図１
2004114150.tif 000002
【特許請求の範囲】
【請求項１】
ダイブロックに設けられた複数のダイとこれに対向して進退移動するラムに設けられた複数のパンチとで素材を粗から精へと順次圧造成形して所定形状の成形品を形成する一方、ラムとダイブロックとの間で圧造部の下方位置に、機械稼働中、切断ブランクや中間成形ブランクが自然落下にて機外に排出される角度を有したシュートを備えてなる横型多段式圧造成形機において、シュートをその上部を支点として揺動可能に支持すると共に、シュートを機械停止後揺動させて水平位置に持ち上げ、シュートを作業台として兼用させる揺動機構を備えていることを特徴とする横型多段式圧造成形機。
【請求項２】
シュートの揺動支点を上下に位置変更させる上下移動機構を備えていることを特徴とする請求項１に記載の横型圧造成形機。
【請求項３】
シュートを上方に揺動させて水平位置に持ち上げて作業台として兼用するとき、シュートを進退移動を行うラムとダイブロックとの間における圧造部内にて停止させる一方、シュートに、誤動作によるラムのダイブロック側への前進移動を規制する阻止部を設けていることを特徴とする請求項１に記載の横型圧造成形機。
【発明の詳細な説明】
【０００１】
【発明の属する技術分野】
本発明は、ダイブロックに設けられた複数のダイとこれに対向して進退移動するラムに設けられた複数のパンチとで素材を粗から精へと順次圧造成形して所定形状の成形品を形成するようにした横型多段式圧造成形機に関する。
【０００２】
【従来の技術】
従来、この種の横型多段式圧造成形機にあっては、検査時、切断ブランクや中間成形ブランクが作業者の近くへ迅速容易に取り出せるようにするため、たとえば図５に示すように、ラムとダイブロックＡとの間でダイブロック下方位置に、機械稼働中、切断ブランクや中間成形ブランクが自然落下にて機外に排出される角度を有したシュートＳを固設したものが知られている。
【０００３】
つまり、検査時には、機械の稼働中で、切断ブランクや中間成形ブランクをチャック式移送機構により次工程のダイＢとパンチ間に移送するとき、チャック式移送機構のチャックをリモコン指示により開放して切断ブランクや中間成形ブランクを落下させ、落下する切断ブランクや中間成形ブランクをシュートＳで受け止めてシュートＳによりそのブランクを自然落下にて機外に排出するようにしている（例えば、特許文献１参照）。
【０００４】
【特許文献１】
特開２０００−２８８６７９号公報　（第９頁、図５）
【０００５】
【発明が解決しようとする課題】
ところで、横型多段式圧造成形機にあっては、機械の運転を停止した状態で、ダイＢやパンチ等の金型部品を交換したり、パンチの前後左右の位置調整など行うとき、作業者は、ラムとダイブロックＡとの間に入って交換作業や調整作業を行っている。その場合、上記したシュートＳが機台に固設されている構成上、作業者はシュートＳの傾斜面上に乗り、その状態で作業を行うことになり、そのため足場が非常に悪く交換作業や調整作業がしずらい問題があった。
【０００６】
また、作業者がラムとダイブロックＡとの間に入っての交換作業や調整作業中、誤動作によりラムが不用意に前進してラムとダイブロックＡとの間に作業者が挟まれるといった問題も有していた。
【０００７】
そこで、本発明は、ブランク取出用のシュートを水平作業台として兼用できるようにして、安全な足場を確保できると共に、誤動作によるラムの前進を防止できる横型多段式圧造成形機の提供を課題とする。
【０００８】
【課題を解決するための手段】
上記した課題を解決するために、本願の請求項１に記載の発明は、ダイブロックに設けられた複数のダイとこれに対向して進退移動するラムに設けられた複数のパンチとで素材を粗から精へと順次圧造成形して所定形状の成形品を形成する一方、ラムとダイブロックとの間で圧造部の下方位置に、機械稼働中、切断ブランクや中間成形ブランクが自然落下にて機外に排出される角度を有したシュートを備えてなる横型多段式圧造成形機において、シュートをその上部を支点として揺動可能に支持すると共に、シュートを機械停止後揺動させて水平位置に持ち上げ、シュートを作業台として兼用させる揺動機構を備えていることを特徴とする。
【０００９】
また、本願の請求項２に記載の発明は、上記した請求項１に記載の構成において、シュートの揺動支点を上下に位置変更させる上下移動機構を備えていることを特徴とする。
【００１０】
さらに、本願の請求項３に記載の発明は、上記した請求項２に記載の構成において、シュートを上方に揺動させて水平位置に持ち上げて作業台として兼用するとき、シュートを進退移動を行うラムとダイブロックとの間における圧造部内にて停止させる一方、シュートに、誤動作によるラムのダイブロック側への前進移動を規制する阻止部を設けていることを特徴とする。
【００１１】
【発明の実施の形態】
以下、本発明の実施の形態を図面に基づいて説明する。
図１，２は、本発明の実施の形態に係る大型の横型多段式圧造成形機を示すもので、該成形機１は、機台２の所定位置に固定されたダイブロック３と、該ブロック３に向かって前進、後退するラム４とを有する。そして、上記ダイブロック３の前面には、複数のダイ５…５が一定間隔に並設固定されている。
【００１２】
一方、ラム４の前面には、各ダイ５…５にそれぞれ対向するように複数のパンチ６…６が一定間隔に並設固定されており、これら相対向する各パンチ６…６とダイ５…５とにより複数の圧造ステーションが構成されている。
【００１３】
また、ダイブロック３の一側部には、機台２の後部より導入される棒状の線材（図示せず）を供給する素材供給クイル７が設けられていると共に、該クイル７の前面部には、クイル７より前方に送り出された線材を所定寸法に切断するカッター（図示せず）が装備されている。そして、カッターにより所定寸法に切断された切断ブランク（図示せず）は、チャック式移送装置（図示せず）のチャックにより各圧造ステーションに順次移送されることにより、これらの圧造ステーションにおいて順次段階的に圧造加工され、最終段の圧造ステーションにおいて所定形状とされた製品が成形されるようになされている。
【００１４】
また、チャック式移送装置のチャックには、それぞれチャック開放機構（図示せず）が設けられ、機外に設けた操作部でのリモコン操作により選択的にチャックを開放状態に維持できるようになされている。
なお、図１において８は最終ステーションで圧造成形され、チャック式移送装置の最終側チャックを介して取り出された最終成形品を製品回収部へ移送する移送コンベアである。
【００１５】
そして、図１に示すように、ダイブロック３の前面下方には、カッターから押し出されて落下する切断ブランクや中間成形ブランクが自然落下にて機外に排出される角度を有したシュート９，１０を備えている。
【００１６】
シュート９は、その上部が上下移動シリンダ１１のピストンロッド１１ａの先端部に揺動可能に支持されていると共に、中間部には機械の停止後、シュート９の遊端側を揺動させて水平位置に持ち上げ、シュート９を作業台として兼用させる揺動機構としての揺動シリンダ１２を備えている。
【００１７】
また、上下移動シリンダ１１によりシュート９の揺動支点を上下に位置変更させるのは、シュート９、つまり作業台の高さを作業者の身長に合わせて最適な高さに選択するためであり、さらに、上下移動シリンダ１１によりシュート９の揺動支点を上方に移動させ、そのうえで揺動シリンダ１２により水平位置に持ち上げたとき、シュート９は進退移動を行うラム４とダイブロック３との間の圧造部内にて停止させる一方、シュート９の長さ方向中間部に、誤動作によるラムのダイブロック側への前進移動を規制する阻止部９ａをラム側に向かって突出させている。
【００１８】
一方、シュート１０は、機台に固設されている。
【００１９】
また、シュート９の遊端側上面には、スライド式のアンチスリップのメッシュ１３を収容した収容部１４が設けられ、シュート９を作業台として使用するときには、メッシュ１３をスライドさせて作業台９の上部に引き出し、シュート９として使用するときには、収容部１４に収めるようになっている。
【００２０】
以上のように構成された横型多段式圧造成形機によれば、切断ブランクや中間成形ブランクを作業者が検査する場合、機械の稼働状態で、切断ブランク又は中間成形ブランクをチャック式移送機構により次工程のダイとパンチ間に移送するとき、チャック式移送機構のチャックをリモコン指示により開放して切断ブランクや中間成形ブランクを落下させる。落下する切断ブランクや中間成形ブランクはシュート９で受け取られ、シュート９により切断ブランクや中間成形ブランクを自然落下にて機外に排出される。この排出された切断ブランクや中間成形ブランクをもとに、作業者は、その切断面、形状、長さ、重量などの検査を迅速に行うことができる。
【００２１】
次に、ダイ５やパンチ６等の金型部品を交換したり、パンチ６の前後左右の位置調整など行う場合についての動作を説明する。
【００２２】
まず、上下移動シリンダ１１によりシュート９の揺動支点を上方に位置変更させる。その後、揺動シリンダ１２によりシュート９を水平位置に持ち上げて停止させる。これにより、シュート９、つまり作業台を水平位置に維持できると共に、その高さを作業者の身長に合わせて最適な高さに選択することができる。その結果、ダイ５やパンチ６等の金型部品を交換したり、パンチ６の前後左右の位置調整を行う場合、或いはカッターとクイル７の芯出し調整や素材ストッパーチップの交換等を行う場合に、足元が安定した状態で容易に作業を行うことができる。
【００２３】
また、シュート９を作業台として使用するとき、メッシュ１３を収容部１４からスライドさせて作業台の上部に引き出して作業することができるので、シュート９の内面に油やカスが付着していても、これらの影響を受けたりすることなく安定よく作業を行うことができる。
【００２４】
また、上下移動シリンダ１０によりシュート９の揺動支点を上方に移動させ、そのうえで揺動シリンダにより水平位置に持ち上げたとき、シュート９は進退移動を行うラム４とダイブロック３との間の圧造部内にて停止させる一方、シュート９の長さ方向中間部に、誤動作によるラムのダイブロック側への前進移動を規制する阻止部９ａをラム側に向かって突出させているので、図２に示すように阻止部９ａを備えたシュート９がラム４とダイブロック３間にカンヌキのように入ることになり、作業中の誤動作によるラム４のダイブロック３側への移動を規制することになる。したがって、作業中の誤動作によりラムが前進移動してラムとダイブロックとの間に作業者が挟まれるといった作業者の安全を図ることができる。
【００２５】
また、図３はシュート９の揺動機構として別の実施の形態を示すものである。
この揺動機構１５は、シュート９の上端枢支部から揺動アーム１６を機体外方に突設し、揺動アーム１６の先端部に機体側部に設けたシリンダ１７を連設したものである。
【００２６】
この場合には、機械の運転停止後、シリンダ１７の短縮動作により揺動アーム１６を介してシュート９を上方へ揺動させることができ、また、シリンダ１７の伸長動作により揺動アーム１６を介してシュート９を下方へ揺動させることができる。
【００２７】
図４はシュート９の揺動機構としてさらに別の実施の形態を示すものである。
この揺動機構１８は、機台２のシュート９の遊端側上部にチェーン巻き上げ装置１９を設け、該装置１９のチェーン１９ａをシュート９の遊端部に連結したものである。
【００２８】
この場合には、機械の運転停止後、チェーン巻き上げ装置１９の巻き上げ動作によりチェーン１９ａを介してシュート９を上方へ揺動させることができ、またチェーン巻き上げ装置１９の巻き下げ動作によりチェーン１９ａを介してシュート９を下方へ揺動させることができる。
【００２９】
上記した実施の形態では、シュート９の中間部に、誤動作によるラムのダイブロック側への前進移動を規制する阻止部９ａを一体に設けたものについて説明したけれども、阻止部は別部材で構成してもよいし、また、シュート９の遊端側に設けてもよい。さらに、上下移動シリンダ１１を備える場合には、シュート９の全体を阻止部としてもよい。
【００３０】
【発明の効果】
以上のように本考案によれば、ラムとダイブロックとの間で圧造部の下方位置に、機械稼働中、切断ブランクや中間成形ブランクが自然落下にて機外に排出される角度を有したシュートを備えてなる横型多段式圧造成形機において、シュートをその上部を支点として揺動可能に支持すると共に、シュートを機械停止後揺動させて水平位置に持ち上げ、シュートを作業台として兼用させる揺動機構を備えているから、シュートを水平作業台として兼用することができ、安全な足場を簡単容易に確保することができる。これにより、ダイやパンチ等の金型部品を交換したり、パンチの前後左右の位置調整など行う場合に、足元が安定した状態で作業を容易に行うことができる。
【００３１】
また、シュートの揺動支点を上下に位置変更させる上下移動機構を設けるようにすれば、シュート、つまり作業台を水平位置にセットするとき、その高さを作業者の身長に合わせて最適な高さに選択することができ、これにより、金型部品の交換や、位置調整作業をより一層容易に行うことができる。
【００３２】
さらに、シュートを上方に揺動させて水平位置に持ち上げて作業台として兼用するとき、シュートを進退移動を行うラムとダイブロックとの間における圧造部内にて停止させる一方、シュートに、誤動作によるラムのダイブロック側への前進移動を規制する阻止部を設けるようにすれば、金型部品の交換や、位置調整作業を行う場合に誤動作によるラムのダイブロック側への移動を規制することができ、ラムとダイブロックとの間に作業者が挟まれるといった作業者の安全を図ることができる。
【図面の簡単な説明】
【図１】本発明に係る横型多段式圧造成形機の要部の縦断側面図である。
【図２】同要部の縦断正面図である。
【図３】揺動機構の別の実施の形態を示す縦断側面図である。
【図４】揺動機構のさらに別の実施の形態を示す縦断側面図である。
【図５】従来例の説明図である。
【符号の説明】
１　　　　　　横型多段式圧造成形機
３　　　　　　ダイブロック
４　　　　　　ラム
５　　　　　　ダイ
６　　　　　　パンチ
９　　　　　　シュート
１１　　　　　上下移動シリンダ
１２　　　　　揺動シリンダ（揺動機構）
１５　　　　　揺動機構
１８　　　　　揺動機構
【図１】
2004114150.tif 000003
【図２】
2004114150.tif 000004
【図３】
2004114150.tif 000005
【図４】
2004114150.tif 000006
【図５】
2004114150.tif 000007